(57)【要約】【課題】本発明は、呼び出し信号に対して応答する通信装置において、発呼側からの呼び出し時に着呼側が即時応答できない場合に、通信料の課金が行われることなく、発呼側の電話番号を認識できる通信装置を提供することを課題とする。【解決手段】着呼前に交換機側から通知される発呼側電話番号を検出して、検出された発呼側の電話番号を記録することにより回線を接続せずに発呼相手を認識できるようにして、課金されることなく留守番機能を実現して、発呼相手の電話番号を認識することができる。【選択図】図１
2006101560.tif 000002
【特許請求の範囲】
【請求項１】
相手先の電話番号を検出する検出手段と、
前記検出手段により検出した電話番号を記憶する記憶手段と、
前記記憶手段に記憶された相手先の電話番号を表示する表示手段と、を備え、
回線を接続することなく、前記相手先の電話番号を特定して前記記憶手段に記憶し、折り返し電話する場合には、前記表示手段に表示された電話番号の中から折り返し電話する相手を所定ボタンが押されることにより選択し、選択された電話番号を前記記憶手段から読み出して発呼することを特徴とする通信装置。
【発明の詳細な説明】
【技術分野】
【０００１】
本発明は、通信装置に係り、特に呼び出し信号通知時において、即時応答できない場合の発呼者の特定に関する。
【背景技術】
【０００２】
従来、通信装置には、通信時に受信側が不在で応答できないような場合の機能として、留守番機能などと呼ばれるメッセージ自動受信機能を備えたものがある。
【０００３】
このメッセージ自動受信機能には、留守番電話に代表されるように、受信側が不在でも、回線を接続してテープやＩＣ等に発呼者からのメッセージを録音できるものなどがある。
【０００４】
また、ファクシミリ装置のメッセージ自動受信機能として、特許文献１に記載されたものがある。このファクシミリ装置においては、電話機から着呼があるとＦＡＸ応答して、そのときに所定のＤＴＭＦ信号を検出すると、その信号に対応した情報を記録する留守番機能を持つことにより留守中のオペレータにメッセージを伝達可能にしたものである。
【特許文献１】特開昭６３−３０４７５８号公報
【発明の開示】
【発明が解決しようとする課題】
【０００５】
しかしながら、上記従来のメッセージ自動受信機能にあっては、回線を１度接続してからメッセージを受信するため、発信側に対して通信料の課金が行われてしまう。
【０００６】
そこで本発明は、着呼前に交換機側から通知される発呼側電話番号を検出して、検出された発呼側の電話番号を記録することにより回線を接続せずに発呼相手を認識できるようにして、課金されることなく留守番機能を提供することを目的とする。
【０００７】
また、従来の電話機、ファクシミリ装置等においては、メッセージの受信のみしかできないので、着呼側から折り返し通信を行おうとした場合、電話番号の入力を行わなければならないが、本発明においては、発呼側の電話番号を記憶しているのでその電話番号を使用して通信を行うことができ、電話番号の入力間違えがなくなり、操作性も向上する。
【課題を解決するための手段】
【０００８】
本発明は、上記目的達成のため、相手先の電話番号を検出する検出手段と、前記検出手段により検出した電話番号を記憶する記憶手段と、前記記憶手段に記憶された相手先の電話番号を表示する表示手段と、を備え、回線を接続することなく、前記相手先の電話番号を特定して前記記憶手段に記憶し、折り返し電話する場合には、前記表示手段に表示された電話番号の中から折り返し電話する相手を所定ボタンが押されることにより選択し、選択された電話番号を前記記憶手段から読み出して発呼することを特徴とするものである。
【発明の効果】
【０００９】
本発明によれば、留守のときに呼び出しがあった場合に、相手先の電話番号を検出して記録するので、相手に課金させることなく相手先の電話番号を知ることができる。
【００１０】
また、留守中にかかってきた電話に対して折り返し電話をかける場合に、記憶された相手先電話番号を使用するので、電話番号を間違えることもなく、操作性が向上する。
【発明を実施するための最良の形態】
【００１１】
以下、本発明の好ましい実施の形態について添付図面を参照しつつ説明する。
【００１２】
図１に本発明の実施例としてのファクシミリ装置の構成図を、図２に操作部の例を示す。
【００１３】
図１に示すように、ファクシミリ装置は、ＮＣＵ１，発呼側番号検出回路２，ＭＰＵ３，操作部４，プロッター５，モデム６，電話番号記憶メモリ７，電話番号登録メモリ８，スキャナ９および時計機能１０を備えている。
【００１４】
ファクシミリ装置がＴＥＬモード、つまり回線を電話に接続して着呼があってもＦＡＸ受信しないモードで、操作部のボタンにより留守モードがセットされているとき、着呼があった場合には、発呼側番号検出回路２により相手先の電話番号を検出して、電話番号記憶メモリ７にストアする。その際、着呼のあった時間を時計機能１０から呼び出して一緒にストアする。
【００１５】
上記処理とともに電話番号検出時の処理手順を図３に示す。
【００１６】
図３に示すように、着呼があった場合、ステップ１０からそれぞれモード別に処理が分かれる。ここで、ステップ１０からステップ１９をそれぞれｓ１０からｓ１９として図３に示す。
【００１７】
ステップ１０において、ＴＥＬモードである場合、ステップ１１からステップ１９に移行し、この処理を抜けて、通常の電話機能に移行する。
【００１８】
ステップ１０において、ＴＥＬ／留守モードである場合、ステップ１２に移行する。次に、ステップ１３において、発呼相手を検出する。発呼相手の検出ができた場合には、ステップ１４において、発呼側番号検出回路２から発呼側の電話番号を取得するとともに、時計機能１０から現在の時刻を呼び出し時刻として、電話番号記憶メモリ７に記憶する。ステップ１３において、発呼相手が検出できなかった場合には、ステップ１９に移行しそのまま終了する。
【００１９】
ステップ１０において、ＦＡＸモードである場合、ステップ１６に移行する。次に、ステップ１７において、受信可能であるか否かの判定を行う。受信可能であれば、ステップ１８において、ＦＡＸ受信を行い、受信可能でない場合には、ステップ１３に移行し、前述の処理を行う。
【００２０】
次に、プロッター５で記録して出力する場合について述べる。記録される情報としては、前述の相手先電話番号、着呼時間の他に、相手先電話番号がワンタッチや短縮番号等で事前に、電話番号登録メモリ８に登録されている場合は、その情報も一緒に記録する。記録例を図４に示す、図４ではＮｏ１が未登録の情報で、他が登録済みの情報である。
【００２１】
ファクシミリ装置がプロッターの不具合等で受信できない場合にも同様に相手先番号を検出して記録する。
【００２２】
上記処理とともに記録出力の処理手順を図５に示す。
【００２３】
図５に示すように、留守モードの解除または本体不具合の解除があった場合、ステップ３０から記録出力の処理を行う。ここで、上述のステップ１０からステップ１９と同様に、ステップ３０からステップ３８をそれぞれｓ３０からｓ３８として図５に示す。
【００２４】
まず、ステップ３１において、発呼相手が検出されたか否かの判定を行う。発呼相手が検出されなかった場合には、ステップ３８に移行しこの処理を終了する。発呼相手が検出された場合には、ステップ３２に移行し、電話番号記憶メモリ７より発呼側の電話番号および呼び出し時刻を読み出す。次に、ステップ３３において、発呼側の電話番号から電話番号登録メモリ８に登録されている電話番号の検索を行い、ステップ３４において、電話番号が一致するか否かの判定を行う。ステップ３４において、一致するものがあれば、ステップ３５において、一致した番号の相手先情報を読み出す。一致する番号がなければ、そのままステップ３６に移行する。ステップ３６では、読み出しの終了判定が行われ、読み出しが残っていれば、ステップ３２に戻り、上述と同様に読み出し処理を行う。全ての読み出しが終了したら、ステップ３７において、記録し出力する。
【００２５】
次に、表示を行う場合について述べる。この場合にも記録の場合と同様に、着呼のあった相手先電話番号、時間およびその番号が登録されている場合には相手先情報を表示する。表示例を図６に示す。図６の場合、“→”キーの押下により情報が次々表示される。
【００２６】
また、オペレータが着呼のあった相手に折り返しＴＥＬする場合、折り返しＴＥＬする相手を選択して操作部４上の発呼ボタンを押すことにより、その電話番号が自動発呼される。ＭＰＵ３は選択されたＮｏのＴＥＬ番号を電話番号記憶メモリ７から読み出しＮＣＵ１を介してその番号を発呼する。
【図面の簡単な説明】
【００２７】
【図１】本発明に係るファクシミリ装置の一実施例を示すその構成図である。
【図２】一実施例のファクシミリ装置の操作部を示す図である。
【図３】一実施例における電話番号検出時のフローチャートである。
【図４】一実施例のファクシミリ装置の記録出力例を示す図である。
【図５】一実施例における記録出力のフローチャートである。
【図６】一実施例における相手先情報の表示例を示す図である。
【符号の説明】
【００２８】
１  ＮＣＵ
２  発呼側番号検出回路
３  ＭＰＵ
４  操作部
５  プロッター
６  モデム
７  電話番号記憶メモリ
８  電話番号登録メモリ
９  スキャナ
１０  時計機能
【図１】
2006101560.tif 000003
【図２】
2006101560.tif 000004
【図３】
2006101560.tif 000005
【図４】
2006101560.tif 000006
【図５】
2006101560.tif 000007
【図６】
2006101560.tif 000008